(57)【要約】【課題】前後方向における上げ底機能、すなわち、少ない商品で前後方向における多量陳列の印象を与える機能を有すると共に、商品背もたれ部の前後方向における設置位置を数段階に調整自在な陳列商品陳列台を提供すること。【解決手段】  ３つの側板２１、２２、２３を有し、３つの側板のうち、互いに隣接する２つの側板２１、２２に連続する部分貫通溝２４を長手方向（Ｘ方向）に所定のピッチで多数付設した枠体２と、陳列商品の背もたれとなる前方傾斜板１１１と、前方傾斜板１１１の裏面で且つ一方の側端から後方側へ延出する枠体２の部分貫通溝２４に嵌合すると共に、下端に形成された鋸歯３が部分貫通溝２４の切れ目２１２部分に係止する縦板状部材１２を備える背もたれ部１と、を有する。【選択図】図１
0003140767.tif 000002
【実用新案登録請求の範囲】
【請求項１】
３つの側板を有し、３つの側板のうち、少なくとも互いに隣接する側板に連続すると共に、前方の側板の下端縁に非貫通部分を有する部分貫通溝を長手方向に所定のピッチで多数付設した側面視がコ字形状であって該コ字の開口部分が設置面に向くように設置される枠体と、
陳列商品の背もたれとなる前方傾斜板と、該前方傾斜板の裏面で且つ一方の側端から後方側へ延出する該枠体の部分貫通溝に嵌合すると共に、下端に形成された鋸歯が部分貫通溝の切れ目部分に係止する縦板状部材を備える背もたれ部と、を有することを特徴とする商品陳列台。
【請求項２】
前記鋸歯が、前方側の後方下り傾斜部と後方側の垂直部とで形成されることを特徴とする請求項１記載の商品陳列台。
【請求項３】
前記鋸歯が、該後方下り傾斜部と該垂直部とを接続する下方側に位置する水平部を更に有することを特徴とする請求項２記載の商品陳列台。
【請求項４】
前記鋸歯を前後方向に所定のピッチで３つ又は４つ有することを特徴とする請求項１〜３のいずれか１項に記載の商品陳列台。
【請求項５】
最前方の鋸歯は、前方側の略水平部又は緩やかな後方下り傾斜部と、後方側の垂直部とで形成されることを特徴とする請求項１〜４のいずれか１項に記載の商品陳列台。
【請求項６】
前記前方側の略水平部又は緩やかな後方下り傾斜部は、背もたれとなる前方傾斜板に連続すると共に、該前方傾斜板の幅寸法と同じ幅寸法を有する底板であることを特徴とする請求項１〜５のいずれか１項に記載の商品陳列台。
【請求項７】
陳列商品を前記背もたれ部の前方に縦列して陳列することを特徴とする請求項１〜６のいずれか１項に記載の商品陳列台。
【請求項８】
商品仕切り板を更に有することを特徴とする請求項１〜７のいずれか１項に記載の商品陳列台。
【考案の詳細な説明】
【技術分野】
【０００１】
本考案は、既設の商品陳列棚などに設置されるもので、前後方向における上げ底機能、すなわち、少ない商品で前後方向における多量陳列の印象を与える機能を有する商品陳列台に関するものである。
【背景技術】
【０００２】
スーパーなどでは、来店者が多いため、同じ種類の商品を多量に陳列すると共に、購買者の購買意欲をかきたてている。商品陳列棚などに多量の商品を縦列して陳列する場合、前方側から商品が売れていくため、顧客に近い側に空きができることがある。この場合、空きを解消するには商品を補充することになる。顧客に近い側の空きを商品の補充以外の方法で解消するものとして、陳列商品の後方に箱状のスペーサーを入れることも行なわれている。
【考案の開示】
【考案が解決しようとする課題】
【０００３】
しかしながら、箱状のスペーサーの使用は、前後方向における上げ底機能を奏するものの、陳列最前列の商品から箱状スペーサーまでの距離が一定であるため、顧客に近い側に空きができた場合には、やはり商品の補充が必要となる。また、箱状スペーサーの前後方向の寸法を大きくしてしまうと、商品の陳列面積が減少するため、その大きさにも限度があった。一方、薄物で自立性のない商品の場合、前後方向における上げ底を大きく採っても、十分な量を陳列できるため、商品陳列の演出効果を減じるものではない。このため、前後方向における底上げの機能を奏すると共に、商品の背もたれ位置を数段階で調整できる機能を有する商品陳列台の開発が望まれていた。
【０００４】
従って、本考案の目的は、前後方向における上げ底機能、すなわち、少ない商品で前後方向における多量陳列の印象を与える機能を有すると共に、商品背もたれ部の前後方向における設置位置を数段階に調整自在な陳列商品陳列台を提供することにある。
【課題を解決するための手段】
【０００５】
すなわち、本考案は、従来の上記課題を解決するものであって、３つの側板を有し、３つの側板のうち、少なくとも互いに隣接する側板に連続すると共に、前方の側板の下端縁に非貫通部分を有する部分貫通溝を長手方向に所定のピッチで多数付設した側面視がコ字形状であって該コ字の開口部分が設置面に向くように設置される枠体と、陳列商品の背もたれとなる前方傾斜板と、該前方傾斜板の裏面で且つ一方の側端から後方側へ延出する該枠体の部分貫通溝に嵌合すると共に、下端に形成された鋸歯が部分貫通溝の切れ目部分に係止する縦板状部材を備える背もたれ部と、を有する商品陳列台を提供するものである。
【０００６】
また、本考案は、前記鋸歯が、前方側の後方下り傾斜部と後方側の垂直部とで形成される前記商品陳列台を提供するものである。
【０００７】
また、本考案は、前記鋸歯が、該後方下り傾斜部と該垂直部とを接続する下方側に位置する水平部を更に有する前記商品陳列台を提供するものである。
【０００８】
また、本考案は、前記鋸歯を前後方向に所定のピッチで３つ又は４つ有する前記商品陳列台を提供するものである。
【０００９】
また、本考案は、最前方の鋸歯は、前方側の略水平部又は緩やかな後方下り傾斜部と、後方側の垂直部とで形成される前記商品陳列台を提供するものである。
【００１０】
また、本考案は、前記前方側の略水平部又は緩やかな後方下り傾斜部は、背もたれとなる前方傾斜板に連続すると共に、該前方傾斜板の幅寸法と同じ幅寸法を有する底板である前記商品陳列台を提供するものである。
【００１１】
また、本考案は、陳列商品を前記背もたれ部の前方に縦列して陳列する商品陳列台を提供するものである。
【００１２】
また、本考案は、商品仕切り板を更に有する前記商品陳列台を提供するものである。
【考案の効果】
【００１３】
本考案によれば、少ない商品で前後方向における多量陳列の印象を与えることができる。また、背もたれ部の前後方向における設置位置を数段階に調整自在であるため、陳列商品の種類に応じた、あるいは陳列商品の陳列量に応じた陳列を演出できる。
【考案を実施するための最良の形態】
【００１４】
本実施の形態における商品陳列台を図１〜図７を参照して説明する。図１は本例の商品陳列台の一使用形態を示す斜視図、図２は図１の商品陳列台の側面図、図３は図１の商品陳列台の正面図、図４は図１の商品陳列台の背面図、図５は図１の商品陳列台の平面図、図６は本例の商品陳列台の他の使用形態の斜視図、図７は図１の商品陳列台で使用する枠体を積み重ねた斜視図をそれぞれ示す。なお、本願明細書中、「前」は顧客側を言い、「後」はその反対側を言う。また、左右方向は顧客側から見た方向を言う。また、長手方向とは設置状態における左右方向を言い、必ずしも長さを定義するものではない。従って、枠体の左右方向の長さは前後方向、又は高さ方向の寸法より短くてもよい。
【００１５】
本考案において、連続する部分貫通溝は所謂縦溝であって、互いに隣接する２つの側板に亘って連続する部分貫通溝、３つの側板の全てに亘って連続する部分貫通溝が挙げられる。また、互いに隣接する２つの側板に亘って連続する部分貫通溝の場合、他の１つの側板の内側の面に非貫通溝を該貫通溝に連続するように、同じピッチで付設したものが挙げられる。これにより、商品仕切り板を使用した場合、商品仕切り板は貫通溝と非貫通溝の双方に嵌合する安定な設置が可能となる。なお、部分貫通溝の「部分」とは、貫通溝が前方の側板において、切れ目があり、切れ目から下端までが非貫通の部分があるためである。
【００１６】
部分貫通溝間の所定のピッチとしては、長手方向全体に亘って等ピッチであってもよく、異なるピッチであってもよいが、等ピッチであるものが、製作が容易であることや使い勝手が良い点で好ましい。ピッチ寸法としては、特に制限されず、使用目的などにより適宜決定される。ピッチ間隔が小さいほど、きめ細かな演出ができる。また、部分貫通溝の形状としても、特に制限されず、数ミリ幅の長溝等が挙げられる。
【００１７】
商品陳列台１０は、３つの側板２１〜２３を有する断面がコ字形状物であって、該３つの側板２１〜２３のうち、互いに隣接する２つの側板２１、２２に亘って連続する部分貫通溝２４を長手方向（左右方向、図中のＸ方向）に所定のピッチで多数付設した枠体２と、背もたれ部１を備え、枠体２は、コ字の開口が設置面（図では下方）に向くように且つ部分貫通溝２４が前方及び上方に向くように設置面Ｙに載置し、部分貫通溝２４に背もたれ部１及び必要に応じて不図示の商品仕切り板を嵌合させて用いるものである。
【００１８】
枠体２の外観は断面がＬ字状の薄肉の枠体と、Ｌ字状の長手の辺を構成する側板２２の一端２２１と厚肉の側板２３（後方板）の上方端を接続し、断面がコ字形状となるようにしたものであり、所謂長椅子（ベンチ）状である。１つの部分貫通孔２４は側板２１の下端縁の非貫通部分２１１のやや上方から隣接する他の側板２２の一端に延びる断面がＬ字形状のスリット状であり、これが長手方向（左右方向）に所定のピッチで多数付設されている。一方、厚肉の側板２３の内側の面には、貫通溝２４に連続するように、同じピッチで付設した非貫通溝２５が付設されている。非貫通溝２５は商品仕切り板が嵌合するため貫通溝２４と同様の溝幅を有し、商品仕切り板の下縁が嵌り込む溝深さを有する。
【００１９】
また、枠体２の天板となる薄肉板の側板２２の縁部２２１と後方板となる厚肉の側板２３が接続する境界部分の外側（図１中、天板側）には、左右に連続する嵌合溝２６が形成されている。一方、厚肉の側板２３の開口側の縁部の内側には左右に連続する嵌合片２３１が形成されており、例えば枠体２を２段重ねした場合、上段にくる枠体の嵌合片２３１が、下段にくる枠体の嵌合溝２６に嵌合して安定な組み付け体ができるようになっている（図７参照）。
【００２０】
背もたれ部１は、陳列商品Ａの背もたれとなる前方傾斜板１１１と、前方傾斜板１１１の裏面で且つ一方の側端から後方側へ延出する枠体２の部分貫通溝２４に嵌合すると共に、下端に形成された鋸歯３が部分貫通溝２４の切れ目２１２部分に係止する縦板状部材１２を備えるものである。背もたれ部１は、平面視でＬ字形状であるため、複数枚の背もたれ部１を重ね合わせてコンパクトにして保管できる、所謂ネスティング機能を有する。
【００２１】
鋸歯３は前方側の第１鋸歯３ａと、それより後方にある３つの鋸歯３ｂ〜３ｄとからなる。鋸歯３の数は適宜決定されるが、本例の４つを含めた３つ〜５つが適当である。また、鋸歯３ｂ〜３ｄは、前方側の後方下り傾斜部３１と、後方側の垂直部３２と、後方下り傾斜部３１と垂直部３２とを接続する下方側に位置する水平部３３で形成される。これにより、背もたれ部１を前方側へ引き出し易くなると共に、押し込むことで、垂直部３２が部分貫通溝２４の切れ目２１２を含む非貫通部分２１１に当接するため、作業がし易い。
【００２２】
鋸歯３ａ〜３ｄは本例のように、前後方向に所定のピッチで形成することが、移動後の陳列面積をイメージし易く、作業者にとって便利であるが、これに限定されず、鋸歯３ａ〜３ｄの個々の鋸歯間の間隔は、異なる寸法で適宜決定してもよい。
【００２３】
本例の商品陳列台１０において、最前方の鋸歯３ａは、前方側の緩やかな後方下り傾斜部１１２と、後方側の垂直部３２とで形成されている。この前方側の緩やかな後方下り傾斜部１１２は、背もたれとなる前方傾斜板１１に連続すると共に、前方傾斜板１１の幅寸法と同じ幅寸法を有する底板である。底板１１２は例えば図２のような使用状態において、設置面Ｙに当接した際、鋸歯３の垂直部３２が設置面Ｙに対して垂直となるような形状とすれば、背もたれ部１の設置と陳列商品Ａの陳列が安定する。
【００２４】
本例の商品陳列台１０において、背もたれ部１は枠体２に対して４通りの設置ができる。すなわち、背もたれ部１の鋸歯３ｄを枠体２の前方の側面２１に係止する第１の設置形態、背もたれ部１の鋸歯３ｃを枠体２の前方の側面２１に係止する第２の設置形態（図２参照）、背もたれ部１の鋸歯３ｂを枠体２の前方の側面２１に係止する第３の設置形態、背もたれ部１の鋸歯３ａを枠体２の前方の側面２１に係止する第４の設置形態（図６参照）である。
【００２５】
これらの設置形態においては、部分貫通溝２４に商品仕切り板を嵌合して使用してもよい。すなわち、陳列商品Ａの幅よりやや大きい間隔で且つ陳列商品Ａの両側に商品仕切り板９を設置するのがよい。なお、図６では他側の商品仕切り板の記載を省略した。これにより、陳列商品Ａは左右方向で仕切られると共に、前後方向に前出しの陳列をすることができる。商品仕切り板としては、板状物であれば特に制限されず、矩形状の板状物、不定形状の板状物、下端に嵌合片を有する板状物等が挙げられる。下端に嵌合片を有しないものは、下端縁全体もしくは仕切り板本体の一部が嵌合溝に嵌合する。また、商品仕切り板は枠体の貫通溝に嵌合して商品仕切り板の前方部を該枠体の前方側板より前方へ突出させて用いることができる。この場合、陳列棚などの設置面が陳列面として活用できる。
【００２６】
第４の設置形態を採れば、前方傾斜板１１の前方側に多くの商品を縦列で陳列できる。また、第３の設置形態を採れば、第４の設置形態に比べて陳列できる商品は少なくなるものの、前方傾斜板１１の前方側に商品を縦列で陳列できる。また、第２の設置形態を採れば、第３の設置形態に比べて陳列できる商品は少なくなるものの、前方傾斜板１１の前方側に商品を縦列で陳列できる。また、第１の設置形態を採れば、第２の設置形態に比べて陳列できる商品は少なくなるものの、前方傾斜板１１の前方側に商品を縦列で陳列できる。
【００２７】
なお、図７のように、枠体２を上下に積み重ねて使用すれば、上段の枠体２の部分貫通溝２４は利用できないものの、高さ方向に趣のある陳列形態が演出できる。図７の商品陳列台１０ａにおいて、積み重ねる個数は任意であり、且つ大きさの異なる枠体を２つ以上組み合わせることにより更に、趣のある陳列形態が演出できる。
【００２８】
本例の商品陳列台１において、左右方向に連続する嵌合溝２６は任意の構成要素である。また、後方の側板２３は厚みのあるものではなく、前方の側板２１と同じ厚みのもの、すなわち、枠体２の３つの側板が連続する同じ厚みのものであってもよい。この場合、後方の側板２３に部分貫通溝を形成することができる。
【図面の簡単な説明】
【００２９】
【図１】本例の商品陳列台の一使用形態を示す斜視図である。
【図２】図１の商品陳列台の側面図である。
【図３】図１の商品陳列台の正面図である。
【図４】図１の商品陳列台の背面図である。
【図５】図１の商品陳列台の平面図である。
【図６】本例の商品陳列台の他の使用形態の斜視図である。
【図７】図１の商品陳列台で使用する枠体を積み重ねた斜視図である。
【符号の説明】
【００３０】
１    背もたれ部
２    枠体
３、３ａ〜３ｄ    鋸歯
１０    商品陳列台
１１    後方傾斜板
１２    縦板状部材
２１〜２３  側板
２４    部分貫通溝
２５    非貫通溝
２６    嵌合溝
Ｘ      長手方向
Ｙ      設置面
【図１】
0003140767.tif 000003
【図２】
0003140767.tif 000004
【図３】
0003140767.tif 000005
【図４】
0003140767.tif 000006
【図５】
0003140767.tif 000007
【図６】
0003140767.tif 000008
【図７】
0003140767.tif 000009